(57)【特許請求の範囲】
【請求項１】
室内からの排気流と、室外からの給気流の熱交換をおこなう熱交換器と、前記排気流を形成する排気用送風機と、前記給気流を形成する給気用送風機とを設けた換気ユニットと、排気流路と給気流路を仕切る仕切板と、前記排気流の通る排気開口を有し、前記排気流路に設けられる排気ダンパー受と、前記給気流の通る給気開口を有し、前記給気流路に設けられる給気ダンパー受と、前記排気開口を開閉する排気ダンパーと、前記給気開口を開閉する給気ダンパーとを設けた流路切換ユニットとを備え、前記排気ダンパー受および前記給気ダンパー受の端部近傍に受側曲折部を設け、前記排気ダンパーおよび前記給気ダンパーに前記排気ダンパー受および前記給気ダンパー受の前記受側曲折部に沿うように曲折したダンパー側曲折部を設けた熱交換形換気装置。
【請求項２】
ダンパー側曲折部を風の流れをガイドする方向に曲折した請求項１記載の熱交換形換気装置。
【請求項３】
排気流路と給気流路を連通するように仕切板に開口した循環開口と、この循環開口を開閉する循環ダンパーとを備え、排気開口と給気開口および循環開口の３つの開口に、それぞれ排気ダンパーと給気ダンパーおよび循環ダンパーを配設した請求項１記載の熱交換形換気装置。
【請求項４】
排気ダンパーと給気ダンパーおよび循環ダンパーが排気流および給気流の風圧で給気開口と排気開口および循環開口を閉鎖する方向に作用する構成とした請求項３記載の熱交換形換気装置。
【請求項５】
排気ダンパーと給気ダンパーおよび循環ダンパーを一体に設け、同一のダンパー側の回転軸で同時に開閉する構成とした請求項３または４記載の熱交換形換気装置。
【請求項６】
排気ダンパーと給気ダンパーおよび循環ダンパーを一体に開閉するダンパー側の回転軸を駆動するダンパーモータを流路切換ユニット内に設けた請求項５記載の熱交換形換気装置。
【請求項７】
ダンパーモータ側の回転軸とダンパー側の回転軸をともに排気流路内に設けた請求項６記載の熱交換形換気装置。
【請求項８】
ダンパーモータを排気ダンパーと給気ダンパーおよび循環ダンパーから着脱自在にする構成とした請求項６または７記載の熱交換形換気装置。
【請求項９】
排気ダンパー、給気ダンパーおよび循環ダンパーの開閉動作をともにダンパーモータ自体でおこなう構成とした請求項６〜８のいずれかに記載の熱交換形換気装置。
【請求項１０】
ダンパーモータ側の回転軸とダンパー側の回転軸をレバーで連結し、ダンパーモータ側の回転軸とダンパー側の回転軸の位置をずらして構成した請求項６〜９のいずれかに記載の熱交換形換気装置。
【請求項１１】
ダンパーモータを流路切側ユニットの天面側に設けた請求項６〜１０のいずれかに記載の熱交換形換気装置。
【請求項１２】
リミットスイッチを２個使用し、ダンパーの停止中はダンパーモータの通電を停止する構成とした請求項６〜１１のいずれかに記載の熱交換形換気装置。
【請求項１３】
制御装置等の収納部を流路切換ユニットの内部に突出させて風路ガイドとなるような構成とした請求項１記載の熱交換形換気装置。
【発明の詳細な説明】
【技術分野】
【０００１】
本発明は、低温地域等で使用される熱交換形換気装置に関する。
【背景技術】
【０００２】
従来、この種の熱交換形換気装置の一例として換気装置の凍結防止装置が知られている（例えば、特許文献１参照）。
【０００３】
以下、その換気装置の凍結防止装置について図６および図７を参照しながら説明する。
【０００４】
図に示すように、排気流路と給気流路を交差するように内部を形成し、その交差部に熱交換器１１５を配設した本体１０１の吸込側に低温流路１０２と高温流路１０３を設けた箱体１０４が配置され、箱体１０４の一方の側面には低温流路入口１０５と高温流路入口１０７が、また、もう一方の側面には低温流路出口１０６と高温流路出口１０８が設けられ、低温流路出口１０６は本体１０１の吸込口１０９と接続され、高温流路出口１０８は本体の吸込口１１０と接続され、また、低温流路１０２と高温流路１０３を仕切るとともに両流路１０２と１０３を連通する開口１１１を設けた隔壁１１２を設け、そして、低温流路１０２に枢着され、開口１１１と低温流路入口１０５を交互に開閉するダンパー１１３と、高温流路１０３に枢着され、開口１１１と高温流路出口１０８を交互に開閉するダンパー１１４を設け、室外から低温流路入口１０５に流入する空気温度が低く、熱交換器１１５に結氷が生じたときは、ダンパー１１３、１１４を回動し、開口１１１を開放し、低温流路入口１０５と高温流路出口１０８を閉鎖し、高温流路入口１０７から流入した高温空気が熱交換器１１５を通って結氷が融解される構成としている。
【特許文献１】実開昭６２−１７７４３号公報（７頁、８頁、第１図、第２図）
【発明の開示】
【発明が解決しようとする課題】
【０００５】
このような従来の換気装置の凍結防止装置では、ダンパー１１３、１１４は低温流路入口１０５、高温流路出口１０８および開口１１１を開閉するのに９０°の間を駆動されることとなって、その開閉角度が大きくなり、そのため箱体１０４が大型になるという課題があり、箱体１０４を小型に形成することが要求されている。
【０００６】
また、熱交換器１１５の結氷の融解時には、熱交換器１１５の一方向のみに高温空気を通しているため、融解に長い時間が必要になるという課題があり、短時間に結氷を融解することが要求されている。
【０００７】
本発明は、このような従来の課題を解決するものであり、ダンパーの設けられる流路切換ユニットの小型化を図るとともに、熱交換器の結氷の融解を短時間でおこなうことのできる熱交換形換気装置を提供することを目的としている。
【課題を解決するための手段】
【０００８】
本発明の熱交換形換気装置は上記目的を達成するために、室内からの排気流と室外からの給気流の熱交換をおこなう熱交換器と、前記排気流を形成する排気用送風機と、前記給気流を形成する給気用送風機を設けた換気ユニットと、排気流路と給気流路を仕切る仕切板と、排気流の通る排気開口を有し、前記排気流路に設けられる排気ダンパー受と、給気流の通る給気開口を有し、前記給気流路に設けられる給気ダンパー受と、前記排気開口を開閉する排気ダンパーと、前記給気開口を開閉する給気ダンパーとを設けた流路切換ユニットとを備え、前記排気ダンパー受および給気ダンパー受の端部近傍に受側曲折部を設け、前記排気ダンパーおよび給気ダンパーに排気ダンパー受および給気ダンパー受の受側曲折部に沿うように曲折したダンパー側曲折部を設けた構成とする。
【０００９】
この手段により、開閉角度が小さくできるとともに、大きな開口が得られ、流路切換ユニットの小型化を図ることができる熱交換形換気装置が得られる。
【００１０】
また、他の手段は、ダンパー側曲折部を風の流れをガイドする方向に曲折した構成とする。
【００１１】
この手段により、整流効果を得ることができる熱交換形換気装置が得られる。
【００１２】
また、他の手段は、排気流路と給気流路を連通するように仕切板に開口した循環開口と、この循環開口を開閉する循環ダンパーとを備え、排気開口と給気開口および循環開口の３つの開口に、それぞれ排気ダンパーと給気ダンパーおよび循環ダンパーを配設した構成としたものである。
【００１３】
この手段により、各開口の大きさを自由に設定できる熱交換形換気装置が得られる。
【００１４】
また、他の手段は、排気ダンパーと給気ダンパーおよび循環ダンパーが排気流および給気流の風圧で排気開口と給気開口および循環開口を閉鎖する方向に作用する構成としたものである。
【００１５】
この手段により、各開口の気密性を向上させることのできる熱交換形換気装置が得られる。
【００１６】
また、他の手段は、排気ダンパーと給気ダンパーおよび循環ダンパーを一体に設け、同一のダンパー側の回転軸で同時に開閉する構成としたものである。
【００１７】
この手段により、ダンパーモータを１つにできる熱交換形換気装置が得られる。
【００１８】
また、他の手段は、排気ダンパーと給気ダンパーおよび循環ダンパーを一体に開閉するダンパー側の回転軸を駆動するダンパーモータを流路切換ユニット内に設けた構成としたものである。
【００１９】
この手段により、流路切換ユニットの小型化を図ることのできる熱交換形換気装置が得られる。
【００２０】
また、他の手段は、ダンパーモータの回転軸とダンパー側の回転軸をともに排気流路内に設けたものである。
【００２１】
この手段により、仕切板のシール性の向上を図ることができる熱交換形換気装置が得られる。
【００２２】
また、他の手段は、ダンパーモータを排気ダンパーと給気ダンパーおよび循環ダンパーから着脱自在にする構成としたものである。
【００２３】
この手段により、メンテ性の向上を図ることのできる熱交換形換気装置が得られる。
【００２４】
また、他の手段は、排気ダンパー、給気ダンパーおよび循環ダンパーの開閉動作をともにダンパーモータ自体でおこなう構成としたものである。
【００２５】
この手段により、排気流および給気流の風圧の影響をうけずに確実に排気開口と給気開口および循環開口の開閉をおこなうことができる熱交換形換気装置が得られる。
【００２６】
また、他の手段は、ダンパーモータ側の回転軸とダンパー側の回転軸をレバーで連結し、ダンパーモータ側の回転軸とダンパー側の回転軸の位置をずらして構成したものである。
【００２７】
この手段により、ダンパーの動作範囲を自由に設定でき小型化を図ることのできる熱交換形換気装置が得られる。
【００２８】
また、他の手段は、ダンパーモータを流路切換ユニットの天面側に設けたものである。
【００２９】
この手段により、安全性の向上を図ることができる熱交換形換気装置が得られる。
【００３０】
また、他の手段は、リミットスイッチを２個使用し、ダンパーの停止中はダンパーモータの通電を停止する構成とする。
【００３１】
この手段により、省エネを図ることができる熱交換形換気装置が得られる。
【００３２】
また、他の手段は、制御装置等の収納部を流路切換ユニットの内部に突出させて風路ガイドとなるような構成としたものである。
【００３３】
この手段により、通気抵抗を小さくして換気能率の向上を図ることのできる熱交換形換気装置が得られる。
【発明の効果】
【００３４】
本発明によれば流路切換ユニットの小型化を図ることのできるという効果のある熱交換形換気装置を提供できる。
【００３５】
また、整流効果を得ることができるという効果のある熱交換形換気装置を提供できる。
【００３６】
また、各開口の大きさを自由に設定できるという効果のある熱交換形換気装置を提供できる。
【００３７】
また、各開口の気密性を向上させるという効果のある熱交換形換気装置を提供できる。
【００３８】
また、熱交換器の結氷の融解を短時間でおこなうことができるという効果のある熱交換形換気装置を提供できる。
【００３９】
また、仕切板のシール性の向上を図ることができるという効果のある熱交換形換気装置を提供できる。
【００４０】
また、メンテ性の向上を図ることができるという効果のある熱交換形換気装置を提供できる。
【００４１】
また、確実に排気開口と給気開口および循環開口の開閉をおこなうことのできるという効果のある熱交換形換気装置を提供できる。
【００４２】
また、安全性の向上を図ることができるという効果のある熱交換形換気装置を提供できる。
【００４３】
また、省エネを図ることができるという効果のある熱交換形換気装置を提供できる。
【００４４】
また、換気効率の向上を図ることができるという効果のある熱交換形換気装置を提供できる。
【発明を実施するための最良の形態】
【００４５】
本発明の請求項１記載の発明は、室内からの排気流と室外からの給気流の熱交換をおこなう熱交換器と、前記排気流を形成する排気用送風機と、前記給気流を形成する給気用送風機とを設けた換気ユニットと、排気流路と給気流路を仕切る仕切板と、排気流の通る排気開口を有し、前記排気流路に設けられる排気ダンパー受と、給気流の通る給気開口を有し、前記給気流路に設けられる給気ダンパー受と、前記排気開口を開閉する排気ダンパーと、前記給気開口を開閉する給気ダンパーとを設けた流路切換ユニットとを備え、前記排気ダンパー受および給気ダンパー受の端部近傍に受側曲折部を設け、前記排気ダンパーおよび給気ダンパーに排気ダンパー受および給気ダンパー受の受側曲折部に沿うように曲折したダンパー側曲折部を設けたものであり、曲折して幅の小さい排気ダンパー受、給気ダンパー受、排気ダンパーおよび給気ダンパーにより大きな排気開口および給気開口が得られることとなり、流路切換ユニットの小型化が図られるとともに、排気ダンパーおよび給気ダンパーの回転角度が小さくても排気ダンパーおよび給気ダンパーが排気流路および給気流路の障害になることがないという作用を有する。
【００４６】
また、請求項２記載の発明は、ダンパー側曲折部を風の流れをガイドする方向に曲折したものであり、開口が大きく、収まりが良くなり、低圧損、低騒音化を図れるとともに、整流効果が得られる形状に形成できるという作用を有する。
【００４７】
また、請求項３記載の発明は、排気流路と給気流路を連通するように仕切板に開口した循環開口と、この循環開口を開閉する循環ダンパーとを備え、排気開口と給気開口および循環開口の３つの開口に、それぞれ排気ダンパーと給気ダンパーおよび循環ダンパーを配設したものであり、熱交換器の結氷を融解するときには、排気開口および給気開口が排気ダンパーおよび給気ダンパーにより閉鎖され、循環ダンパーが開いて循環開口が開口されることにより、換気ユニット側において暖かい室内空気が熱交換器の一方側の通風路を通り、熱交換器を暖めたのち、さらに循環開口より給気流路に入り、熱交換器の他方側の通風路を通り室内に循環する循環流路が形成されることにより、熱交換器の暖かい空気が２回通ることとなり、熱交換器の結氷の融解時間を短縮することができるとともに、排気開口と給気開口および循環開口の大きさも自由に設定できるという作用を有する。
【００４８】
また、請求項４記載の発明は、排気ダンパーと給気ダンパーおよび循環ダンパーが排気流および給気流の風圧で給気開口と排気開口および循環開口を閉鎖する方向に作用する構成としたものであり、排気開口、給気開口および循環開口の気密性が向上するとともに、給気流と排気流が接触することにより発生する結露を抑制することができるという作用を有する。
【００４９】
また、請求項５記載の発明は、排気ダンパーと給気ダンパーおよび循環ダンパーを一体に設け、同一のダンパー側の回転軸で同時に開閉する構成としたものであり、ダンパーモータを１つにできることが可能となり、小型化および低コスト化を図ることができるという作用を有する。
【００５０】
また、請求項６記載の発明は、排気ダンパーと給気ダンパーおよび循環ダンパーを一体に開閉するダンパー側の回転軸を駆動するダンパーモータを流路切換ユニット内に設けたものであり、流路切換ユニットの下面側からメンテができることにより、ダンパーモータを外側に設けた場合と比較して下面側のメンテスペースを大きくとる必要がなくなるとともに、流路切換ユニットの小型化を図ることができるという作用を有する。
【００５１】
また、請求項７記載の発明は、ダンパーモータ側の回転軸とダンパー側の回転軸をともに排気流路内に設けたものであり、ダンパーモータの回転軸とダンパー側の回転軸を結び可動するレバーが排気流路と給気流路を仕切る仕切板を貫通しないので仕切板のシール性が向上し、結露性能が向上するとともに、ダンパーモータを常温に近い環境に配置できるので、ダンパーモータの温度的制約が緩和され、コスト低減を図ることができるという作用を有する。
【００５２】
また、請求項８記載の発明は、ダンパーモータを排気ダンパーと給気ダンパーおよび循環ダンパーから着脱自在にする構成としたものであり、メンテ時にダンパーモータのみを外せば良いのでメンテ性の向上が図れるとともに、ダンパーモータとダンパーが一体の場合にはダンパーが仕切板を貫通して配置されていることにより、ダンパーのメンテのときに仕切板を分割できるようにしておく必要があることを解消できるという作用を有する。
【００５３】
また、請求項９記載の発明は、排気ダンパーと給気ダンパーおよび循環ダンパーの開閉動作をともにダンパーモータ自体でおこなう構成としたものであり、ダンパーの開閉速度が風圧の影響を受けないので、衝撃音等の発生を抑えることができるとともに、ばねを用いて復帰させる場合と比較して風圧に負けずに開閉動作を確実におこなうことができるという作用を有する。
【００５４】
また、請求項１０記載の発明は、ダンパーモータ側の回転軸とダンパー側の回転軸をレバーで連結し、ダンパーモータ側の回転軸とダンパー側の回転軸の位置をずらして構成したものであり、ダンパーモータ側の回転軸とダンパーの回転軸をレバーで結び、回転→往復→回転とすることで、ダンパーモータ側の回転軸の動作角度とダンパーの動作角度をずらすことができ、ダンパーの動作範囲を自由に設定でき、小型化を図ることができるという作用を有する。
【００５５】
また、請求項１１記載の発明は、ダンパーモータを流路切換ユニットの天面側に設けたものであり、流路切換ユニット内に結露氷が発生した場合にもダンパーモータに結露氷がたまらないので、安全性の向上を図ることができるという作用を有する。
【００５６】
また、請求項１２記載の発明は、リミットスイッチを２個使用し、ダンパーの停止中はダンパーモータへの通電を停止する構成としたものであり、通電を停止することにより省エネ効果をもたらすとともに、ダンパーモータの寿命を長くするという作用を有する。
【００５７】
また、請求項１３記載の発明は、制御装置等の収納部を流路切換ユニットの内部に突出させて風路ガイドとなるような構成としたものであり、収納部が風路ガイドとなる形状により、通気抵抗が低減されるという作用を有する。
【００５８】
以下、本発明の実施の形態について図面を参照しながら説明する。
【００５９】
（実施の形態１）
図１〜図５に示すように、一側面の室内側に室内側排気口１と室内側給気口２を有し、他側面に排気用連結口３と給気用連結口４を設け、内部に室内からの排気流と、室外からの給気流の熱交換をおこなう熱交換器５と排気流を形成する排気用送風機６と、給気流を形成する給気用送風機７とを設けた換気ユニット８を設け、換気ユニット８の排気用連結口３に連結される排気流路９と、換気ユニット８の給気用連結口４に連結される給気流路１０とを仕切る仕切板１１と、排気流の通る排気開口１２を有し、排気流路９に設けられる排気ダンパー受１３と、給気流の通る給気開口１４を有し、給気流路１０に設けられる給気ダンパー受１５と、排気開口１２を開閉する排気ダンパー１６と、給気開口１４を開閉する給気ダンパー１７と、排気流路９と給気流路１０を連通するように仕切板１１に開口した循環開口１８と、循環開口１８を開閉する循環ダンパー１９と、室外側に室外側排気口２０と室外側給気口２１を設けた流路切換ユニット２２とを備える。
【００６０】
また、排気ダンパー１６および給気ダンパー１７に、風の流れをガイドする方向に曲折したダンパー側曲折部２４を設け、排気ダンパー受１３および給気ダンパー受１５の端部近傍に排気ダンパー１６および給気ダンパー１７のダンパー側曲折部２４に沿うように曲折した受側曲折部２３を設け、排気ダンパー１６および給気ダンパー１７は排気流および給気流の風圧で排気開口と給気開口および循環開口を閉鎖する方向に作用するように設ける。
【００６１】
また、排気ダンパー１６と給気ダンパー１７および循環ダンパー１９を一体に設け、同一のダンパー側の回転軸２５で同時に開閉するように設け、ダンパー側の回転軸２５を可動するダンパーモータ２６を流路切換ユニット２２内に設け、ダンパーモータ２６とダンパー側の回転軸２５を排気流路９内に設け、ダンパーモータ側の回転軸２７とダンパー側の回転軸２５をレバー２８で連結し、ダンパーモータ側の回転軸２７とダンパー側の回転軸２５とを位置をずらして配設し、ダンパーモータ２６を流路切換ユニット２２の排気流路９の天面２９に設け、排気ダンパー１６と給気ダンパー１７および循環ダンパー１９の開閉動作をダンパーモータ２６自体でおこなうように設ける。
【００６２】
また、図５に示すように、Ｃ接点を有するメインスイッチ３０を設け、このメインスイッチ３０に対して、前記ダンパーモータ２６との間に交互に導通するように第１のリミットスイッチ３１と第２のリミットスイッチ３２を並列に設けた２個のリミットスイッチで構成する回路を直列に接続し、排気ダンパー１６と給気ダンパー１７が閉位置にあるときは、第１のリミットスイッチ３１が閉状態を検出して、この第１のリミットスイッチ３１が開状態となり、ダンパーモータ２６の電源回路は開いてダンパーモータ２６への通電は停止されるように設ける。
【００６３】
また、制御装置等を収納する収納部３３を流路切換ユニット２２の排気流路９の内部に山形状に突出させて風路ガイドとなるように設ける構成する。
【００６４】
上記構成において、通常の熱交換換気運転をおこなうときには、図１に示すように、排気ダンパー１６と給気ダンパー１７は開状態で、循環ダンパー１９のみが開状態となるように、ダンパーモータ２６により一体的に設けた排気ダンパー１６と給気ダンパー１７および循環ダンパー１９を駆動した状態で熱交換形換気装置を運転すると、排気用送風機６により室内の熱を保有している室内空気が室内側排気口１より換気ユニット８内に吸い込まれ、排気空気は熱交換器５の一方の通路を通り、流路切換ユニット２２の排気流路９を通り、室外側排気口２０より室外に排気される。一方給気用送風機７により、室外の低温の空気が室外側給気口２１より給気流路１０内に流入し、給気流路１０より換気ユニット８に設けた熱交換器５内の他方の通路を通り、室内側給気口２より室内に給気され熱交換換気がおこなわれる。
【００６５】
また熱交換形換気装置を低温地域で使用した場合に、給気温度が低く、熱交換器５結氷状態となるときには、ダンパーモータ２６により排気ダンパー１６と給気ダンパー１７および循環ダンパー１９を駆動し、排気ダンパー１６により排気開口１２を閉鎖し、給気ダンパー１７により給気開口１４を閉鎖し、循環ダンパー１９は循環開口１８を開口した図２に示す状態とすることにより、排気用送風機６が運転されると、室内側排気口１より換気ユニット８内に熱を保有している室内空気が吸い込まれ、排気空気が熱交換器５内の一方の通路を通り、排気空気に含まれる熱により熱交換器５の結氷が融解される。そして、熱交換器５を通り熱をうばわれたが、未だ熱が残存している排気空気が、開口している循環開口１８より給気流路１０を介して再度熱交換器５の他方側の通路を通り、熱交換器５を加熱してさらに結氷が融解されることとなる。
【００６６】
このように本発明の実施の形態１によれば、室内からの排気流と、室外からの給気流の熱交換をおこなう熱交換器５と、排気流を形成する排気用送風機６と、給気流を形成する給気用送風機７とを設けた換気ユニット８と、排気流路９と給気流路１０を仕切る仕切板１１と、排気流の通る排気開口１２を有し、排気流路９に設けられる排気ダンパー受１３と、給気流の通る給気開口１４を有し、給気流路１０に設けられる給気ダンパー受１５と、排気開口１２を開閉する排気ダンパー１６と、給気開口１４を開閉する給気ダンパー１７とを設けた流路切換ユニット２２とを備え、排気ダンパー受１３および給気ダンパー受１５の端部近傍に受側曲折部２３を設け、排気ダンパー１６および給気ダンパー１７に、排気ダンパー受１３および給気ダンパー受１５の受側曲折部２３に沿うように曲折したダンパー側曲折部２４を設けたので、曲折して幅の小さい排気ダンパー受１３、給気ダンパー受１５、排気ダンパー１６および給気ダンパー１７により、大きな排気開口１２および給気開口１４を得ることができ、流路切換ユニット２２の小型化が図られるとともに、排気ダンパー１６および給気ダンパー１７の回転角度が小さくても排気ダンパー１６および給気ダンパー１７が排気流路９および給気流路１０を通る空気の障害となることがなくなることとなる。
【００６７】
また、ダンパー側曲折部２４を風の流れをガイドする方向に曲折したので、排気開口１２および給気開口１４を大きくすることができ、収まり状態も良く、低圧損、低騒音化を図れるとともに、整流効果が得られる形状に形成できることとなる。
【００６８】
また、排気流路９と給気流路１０を連通するように仕切板１１に開口した循環開口１８と、循環開口１８を開閉する循環ダンパー１９とを備え、排気開口１２と給気開口１４および循環開口１８の３つの開口に、それぞれ排気ダンパー１６と給気ダンパー１７および循環ダンパー１９を配設したので、熱交換器５の結氷を融解するときには、排気開口１２および給気開口１４が排気ダンパー１６および給気ダンパー１７により閉鎖され、循環ダンパー１９が開いて循環開口１８が開口することにより、換気ユニット８側において暖かい室内空気が熱交換器５の一方側の通路を通り、熱交換器５を暖めたのち、さらに循環開口１８より給気流路１０に入り、熱交換器５の他方側の通路を通って室内に循環する循環流路３４が形成され、このことにより、熱交換器５には暖かい空気が２回通ることとなり、熱交換器５の結氷の融解時間を短縮することができるとともに、排気開口１２と給気開口１４および循環開口１８の大きさを自由に設定することができることとなる。
【００６９】
また、排気ダンパー１６と、給気ダンパー１７および循環ダンパー１９が排気流および給気流の風圧で排気開口と給気開口および循環開口を閉鎖する方向に作用する構成としたので、排気開口１２、給気開口１４および循環開口１８の気密性が向上するとともに、給気流と排気流が接触することにより、発生する結露を抑制できることとなる。
【００７０】
また、排気ダンパー１６と給気ダンパー１７および循環ダンパー１９を一体に開閉するダンパー側の回転軸２５を駆動するダンパーモータ２６を流路切換ユニット２２内に設けたので、ダンパーモータ２６を外部に設けた場合と比較し、流路切換ユニット２２部分の小型化が図れるとともに、下面側からメンテができることにより下面のメンテスペースを大きくとる必要がなくなることとなる。
【００７１】
また、ダンパーモータ２６とダンパーの回転軸２７を排気流路９内に設けたので、ダンパーモータ側の回転軸２７とダンパー側の回転軸２５を結んで可動するレバー２８が仕切板１１を貫通しないため、仕切板１１のシール性が向上するとともに、ダンパーモータ２６を常温に近い環境に配置できるので、ダンパーモータ２６の温度的制約が緩和され、コスト低減を図ることができることとなる。
【００７２】
また、ダンパーモータ２６を排気ダンパーと給気ダンパーおよび循環ダンパーから着脱自在にする構成としたので、メンテ時にダンパーモータ２６のみ外せば良く、メンテ性の向上が図れるとともに、ダンパーモータ２６とダンパーが一体の場合には、ダンパーが仕切板１１を貫通して配設されることとなり、ダンパーのメンテのときに仕切板１１を分割できるようにしておく必要があることを、解消することができることとなる。
【００７３】
また、排気ダンパー１６と給気ダンパー１７および循環ダンパー１９の開閉動作をともにダンパーモータ２６自体でおこなう構成としたので、排気ダンパー１６と給気ダンパー１７および循環ダンパー１９の開閉速度が風圧の影響を受けず、衝撃音等の発生を抑えることができるとともに、ばね等を用いて復帰させる場合と比較して、風圧に負けずに開閉動作を確実におこなうことができることとなる。
【００７４】
また、ダンパーモータ側の回転軸２７とダンパー側の回転軸２５をレバー２８で連結し、ダンパーモータ側の回転軸２７とダンパー側の回転軸２５の位置をずらして構成したので、回転→往復→回転と可動することで、ダンパーモータ側の回転軸２７の動作角度と、ダンパーの動作角度をずらすことができ、ダンパーの動作範囲を自由に設定でき、小型化を図ることができることとなる。
【００７５】
また、ダンパーモータ２６を流路切換ユニット２２の天面２９側に設けたので、結露水が発生した場合においても、ダンパーモータ２６に結露水がたまらず、安全性の向上を図ることができることとなる。
【００７６】
また、第１のリミットスイッチ３１と第２のリミットスイッチ３２の２個を使用し、ダンパーの停止中はダンパーモータ２６への通電を停止するので、通電を停止することにより省エネ効果をもたらすこととなる。
【００７７】
また、制御装置等の収納部３３を流路切換ユニット２２の内部に山形状に突出させて風路ガイドとなるような構成としたので、収納部３３が風路ガイドとなる形状により通気抵抗が低減されることとなる。
【産業上の利用可能性】
【００７８】
空気調和機の調和空気を送るダクトの内部に設けられるダンパーによる流路開閉装置を、曲折部を設けたダンパー受およびダンパーを用いることにより、空気調和機の流路開閉装置にも適用できる。
【図面の簡単な説明】
【００７９】
【図１】本発明の実施の形態１の熱交換形換気装置の使用時の状態を示す概略断面図
【図２】同熱交換形換気装置の熱交換器の結氷の融解時を示す概略断面図
【図３】同熱交換形換気装置の開口部分を示す概略斜視図
【図４】同熱交換形換気装置のダンパーモータの取付状態を示す概略断面図
【図５】同熱交換形換気装置のダンパーモータの電気回路図
【図６】従来の換気装置の凍結防止装置の通常の換気状態を示す構成図
【図７】同換気装置の凍結防止装置の動作説明図
【符号の説明】
【００８０】
５    熱交換器
６    排気用送風機
７    給気用送風機
８    換気ユニット
９    排気流路
１０  給気流路
１１  仕切板
１２  排気開口
１３  排気ダンパー受
１４  給気開口
１５  給気ダンパー受
１６  排気ダンパー
１７  給気ダンパー
１８  循環開口
１９  循環ダンパー
２２  流路切換ユニット
２３  受側曲折部
２４  ダンパー側曲折部
２５  ダンパー側の回転軸
２６  ダンパーモータ
２７  ダンパーモータ側の回転軸
２８  レバー
２９  天面
３１  第１のリミットスイッチ
３２  第２のリミットスイッチ
３３  収納部
【図１】
0004720475.tif 000002
【図２】
0004720475.tif 000003
【図３】
0004720475.tif 000004
【図４】
0004720475.tif 000005
【図５】
0004720475.tif 000006
【図６】
0004720475.tif 000007
【図７】
0004720475.tif 000008